(57)【要約】      （修正有）【課題】セルラーおよびＷＬＡＮ相互作用ネットワークにおけるネットワーク選択のための方法を提供する。【解決手段】ＵＥが、ＵＥとＷＬＡＮアクセスポイントとの間の関連付け状態を決定する７１０。ＵＥは、決定された関連付け状態に少なくとも部分的に基づいて、アクセスポイントのメトリックを選択する７２０。ＵＥがメトリックの値を決定すること７３０を含む。ＵＥは、様々なファクタに基づいて、メトリックの値をセルラーワイヤレスネットワークの基地局に報告すべきかどうかを決定する。これらのファクタは、関連付け状態、しきい値に対する少なくとも１つのメトリックの値、関連付け状態の変化、または基地局から報告命令を受信することを含む。ＵＥは、それの決定に基づいて、メトリックの値を基地局に報告する。基地局は、ネットワーク選択のために、ＵＥを補足する動作を実行する。【選択図】図７
2018160906.tif 000002
【特許請求の範囲】
【請求項１】
セルラーワイヤレスネットワークとワイヤレスローカルエリアネットワーク（ＷＬＡＮ）とを備えるネットワークにおけるワイヤレス通信のための方法であって、前記方法は、  ユーザ機器（ＵＥ）が、前記ＵＥとＷＬＡＮアクセスポイントとの間の関連付け状態を決定することと、
前記関連付け状態に少なくとも部分的に基づいて、前記アクセスポイントの少なくとも１つのメトリックを選択することと、
前記少なくとも１つのメトリックの値を決定することと
を備える、方法。
【請求項２】
前記関連付け状態、しきい値に対する前記少なくとも１つのメトリックの前記値、前記関連付け状態の変化、または前記セルラーワイヤレスネットワークの基地局から報告命令を受信することのうちの少なくとも１つに基づいて、前記少なくとも１つのメトリックの前記値を前記基地局に報告すべきかどうかを決定することをさらに備える、請求項１に記載の方法。
【請求項３】
報告すべきかどうかを前記決定することに基づいて、前記少なくとも１つのメトリックの前記値を前記セルラーワイヤレスネットワークの基地局に報告することをさらに備える、請求項２に記載の方法。
【請求項４】
前記報告することに応答して前記基地局からメッセージを受信することをさらに備え、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、請求項３に記載の方法。
【請求項５】
前記選択することが、メトリックの少なくとも２つの別個のセットのうちの１つから前記少なくとも１つのメトリックを選択することをさらに備える、請求項１に記載の方法。
【請求項６】
前記選択することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントと非関連状態にあることに基づいて、前記別個のセットのうちの第２のセットから前記少なくとも１つのメトリックを選択することとを備える、請求項５に記載の方法。
【請求項７】
前記選択することは、前記ＵＥが前記ＷＬＡＮアクセスポイントとのアクティブ接続中であることに基づいて、前記別個のセットのうちの第１のセットから前記少なくとも１つのメトリックを選択することと、前記ＵＥが前記ＷＬＡＮアクセスポイントとの非アクティブ接続中であることに基づいて、前記別個のセットのうちの第２のセットから前記少なくとも１つのメトリックを選択することとを備える、請求項５に記載の方法。
【請求項８】
非アクティブ接続が、前記ＡＰに関連しない、前記ＡＰに関連するがデータを送らない、または前記ＡＰに関連するがしきい値を上回るデータを送らない（すなわち、低すぎるスループット）のうちの１つを備える、請求項７に記載の方法。
【請求項９】
前記別個のセットのうちの前記第１のセットのメンバーが前記ＵＥと前記アクセスポイントとの間の接続の品質または帯域幅を示す、請求項６に記載の方法。
【請求項１０】
前記別個のセットのうちの前記第１のセットが、オーバージエア（ＯＴＡ）ビットレート、フレームエラーレート（ＦＥＲ）、ＯＴＡスループット、アップリンクバッファサイズ、アップリンクレイテンシ、メディアアクセス制御（ＭＡＣ）管理情報ベース（ＭＩＢ）カウンタ、８０２．１１報告、またはバックオフカウンタ値のうちのいずれか１つまたは複数を含む、請求項９に記載の方法。
【請求項１１】
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項６に記載の方法。
【請求項１２】
前記別個のセットのうちの前記第２のセットが、受信チャネル電力インジケータ（ＲＣＰＩ）、受信信号対雑音インジケータ（ＲＳＮＩ）、基本サービスセット（ＢＳＳ）負荷、前記ＷＬＡＮアクセスポイントに関連する局の数、前記アクセスポイントを使用する有効ユーザの数、またはバッファされたトラフィックをもつ前記アクセスポイントに関連する局の平均数のうちのいずれか１つまたは複数を含む、請求項１１に記載の方法。
【請求項１３】
前記別個のセットのうちの前記第２のセットが、ビーコン損失レート、ワイドエリアネットワーク（ＷＡＮ）メトリック、物理レイヤレート、利用可能帯域幅、平均バックオフ時間、トラフィック指示マップ間隔、または８０２．１１能力のうちのいずれか１つまたは複数を含む、請求項１１に記載の方法。
【請求項１４】
ユーザ機器（ＵＥ）とＷＬＡＮアクセスポイントとの間の関連付け状態を決定することと、前記関連付け状態に少なくとも部分的に基づいて、前記アクセスポイントの少なくとも１つのメトリックを選択することと、前記少なくとも１つのメトリックの値を決定することとを行うために構成された少なくとも１つのプロセッサと、
前記少なくとも１つのプロセッサに結合されたメモリと
を備える、ワイヤレス通信のための装置。
【請求項１５】
前記プロセッサが、前記関連付け状態、しきい値に対する前記少なくとも１つのメトリックの前記値、前記関連付け状態の変化、またはセルラーワイヤレスネットワークの基地局から報告命令を受信することのうちの少なくとも１つに基づいて、前記少なくとも１つのメトリックの前記値を前記基地局に報告すべきかどうかを決定するためにさらに構成された、請求項１４に記載の装置。
【請求項１６】
前記プロセッサが、前記値を前記基地局に報告することに応答して前記基地局からメッセージを受信するためにさらに構成され、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、請求項１５に記載の装置。
【請求項１７】
前記プロセッサが、メトリックの少なくとも２つの別個のセットのうちの１つから前記少なくとも１つのメトリックを前記選択することを実行するためにさらに構成され、ここにおいて、前記別個のセットのうちの第１のセットは、前記ＵＥが、前記ＷＬＡＮアクセスポイントとの関連状態から選択されるＵＥ状態にあるか、または前記ＷＬＡＮアクセスポイントとのアクティブ接続中であることに基づき、ここにおいて、前記プロセッサが、前記ＵＥ状態に基づいて前記別個のセットのうちの第２のセットから前記少なくとも１つのメトリックを選択する、請求項１４に記載の装置。
【請求項１８】
前記プロセッサが、メトリックの前記少なくとも２つの別個のセットから前記選択することを実行するためにさらに構成され、ここにおいて、前記別個のセットのうちの前記第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項１７に記載の装置。
【請求項１９】
セルラーワイヤレスネットワークとワイヤレスローカルエリアネットワーク（ＷＬＡＮ）とを備えるネットワークにおけるワイヤレス通信のための方法であって、前記方法は、  ユーザ機器（ＵＥ）と通信している前記セルラーワイヤレスネットワークの基地局が、前記ＵＥとＷＬＡＮアクセスポイントとの間の関連付け状態を示す情報を受信することと、
前記関連付け状態に少なくとも部分的に基づいて、前記アクセスポイントの少なくとも１つのメトリックを報告するように前記ＵＥに命令することと
を備える、方法。
【請求項２０】
前記少なくとも１つのメトリックの値を報告するように前記ＵＥに前記命令することが、前記関連付け状態、しきい値に対する前記少なくとも１つのメトリックの値、または前記関連付け状態の変化のうちの少なくとも１つに基づく少なくとも１つの状態を含む、請求項１９に記載の方法。
【請求項２１】
前記命令することに応答して、前記ＵＥから前記少なくとも１つのメトリックの値を受信することをさらに備える、請求項１９に記載の方法。
【請求項２２】
前記値を前記受信することに応答して前記ＵＥにメッセージを与えることをさらに備え、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、請求項２１に記載の方法。
【請求項２３】
前記命令することが、メトリックの少なくとも２つの別個のセットのうちの１つから前記少なくとも１つのメトリックを選択するための命令を備える、請求項１９に記載の方法。
【請求項２４】
前記命令することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を備える、請求項２３に記載の方法。
【請求項２５】
前記別個のセットのうちの前記第１のセットのメンバーが前記ＵＥと前記アクセスポイントとの間の接続の品質または帯域幅を示す、請求項２４に記載の方法。
【請求項２６】
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項２５に記載の方法。
【請求項２７】
ユーザ機器（ＵＥ）と通信しているセルラーワイヤレスネットワークの基地局において、前記ＵＥとＷＬＡＮアクセスポイントとの間の関連付け状態を示す情報を受信することと、前記関連付け状態に少なくとも部分的に基づいて、前記アクセスポイントの少なくとも１つのメトリックを報告するように前記ＵＥに命令することとを行うために構成された少なくとも１つのプロセッサと、
前記少なくとも１つのプロセッサに結合されたメモリと
を備える、ワイヤレス通信のための装置。
【請求項２８】
前記プロセッサが、前記関連付け状態、しきい値に対する前記少なくとも１つのメトリックの値、または前記関連付け状態の変化のうちの少なくとも１つに基づく少なくとも１つの状態を含む、前記少なくとも１つのメトリックの値を報告するように前記ＵＥに前記命令することのためにさらに構成された、請求項２７に記載の装置。
【請求項２９】
前記プロセッサが、前記命令することに応答して、前記ＵＥから前記少なくとも１つのメトリックの値を受信することと、前記値を前記受信することに応答して前記ＵＥにメッセージを与えることとを行うためにさらに構成され、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、請求項２７に記載の装置。
【請求項３０】
前記プロセッサは、前記ＵＥが前記ＷＬＡＮアクセスポイントとの関連状態にあることに基づいて、メトリックセットの少なくとも２つの別個のセットのうちの１つから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を与えることを備える前記命令することのためにさらに構成され、ここにおいて、前記別個のセットの第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項２７に記載の装置。
【発明の詳細な説明】
【技術分野】
【０００１】
関連出願の相互参照
[0001]  本出願は、その全体が、参照により本明細書に組み込まれる、２０１３年５月１日に出願された米国仮出願第６１／８１８，４１４号の米国特許法第１１９条（ｅ）項に基づく優先権を主張する。
【０００２】
[0002]  本開示のいくつかの態様は、一般にワイヤレス通信に関し、より詳細には、セルラー（たとえば、３ＧＰＰ（登録商標））およびワイヤレスローカルエリア（ＷＬＡＮ）相互作用（interworked）ネットワークにおける接続モード（connected-mode）ネットワーク選択のための技法に関する。
【背景技術】
【０００３】
[0003]  ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ：3rd Generation Partnership Project）ロングタームエボリューション（ＬＴＥ（登録商標）：Long Term Evolution）システム、ロングタームエボリューションアドバンスト（ＬＴＥ−Ａ：Long Term Evolution Advanced）システムおよび直交周波数分割多元接続（ＯＦＤＭＡ）システムがある。
【０００４】
[0004]  概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
[0005]  ワイヤレス通信技術が進歩するにつれて、ますます多くの異なる無線アクセス技術が利用されている。たとえば、現在、多くの地理的エリアが複数のワイヤレス通信システムによってサービスされており、ワイヤレス通信システムの各々は、１つまたは複数の異なるエアインターフェース技術を利用することができる。そのようなネットワーク環境におけるワイヤレス端末の汎用性を高めるために、最近、複数の無線技術の下で動作することができるマルチモードワイヤレス端末に対する志向が高まっている。たとえば、マルチモード実装により、端末は、ある地理的エリアにおいて、各々が異なる無線インターフェース技術を利用し得る複数のシステムの中からあるシステムを選択し、その後、１つまたは複数の選択されたシステムと通信することが可能になり得る。そのような選択能力は、端末によるシステム選択に関係する新しい問題および課題を提起し得る。
【発明の概要】
【０００６】
[0006]  セルラーおよびＷＬＡＮ相互作用ネットワークにおける接続モードネットワーク選択のための方法、装置およびシステムについて、発明を実施するための形態において詳細に説明し、いくつかの態様を以下に要約する。この概要および以下の発明を実施するための形態は、統合された開示の補助的な部分として解釈されるべきであり、これらの部分は、重複する主題および／または補足的な主題を含み得る。いずれかのセクションの省略は、統合された適用例において説明するいかなる要素の優先順位または相対的な重要性をも示すものでない。セクション間の差は、代替実施形態の補足的な開示、追加の詳細、または異なる用語を使用した同一の実施形態の代替的説明を含むことがあり、これらはそれぞれの開示から明らかなはずである。
【０００７】
[0007]  一態様では、セルラーワイヤレスネットワークとＷＬＡＮとを備えるセルラーおよびＷＬＡＮ相互作用ネットワークにおけるネットワーク選択のための方法は、ＵＥが、ＵＥとＷＬＡＮアクセスポイントとの間の関連付け状態（association state）を決定することを含み得る。本方法は、関連付け状態に少なくとも部分的に基づいて、アクセスポイントの少なくとも１つのメトリックを選択することと、少なくとも１つのメトリックの値を決定することとをさらに含み得る。本方法は、ＵＥが、様々なファクタに基づいて、少なくとも１つのメトリックの値をセルラーワイヤレスネットワークの基地局に報告すべきかどうかを決定することをさらに含み得る。様々なファクタは、関連付け状態、しきい値に対する少なくとも１つのメトリックの値、関連付け状態の変化、または基地局から報告命令を受信することのうちの少なくとも１つを含み得る。本方法は、ＵＥが、報告すべきかどうかを決定することに基づいて、少なくとも１つのメトリックの値をセルラーワイヤレスネットワークの基地局に報告することをさらに含み得る。
【０００８】
[0008]  別の態様では、本方法は、ＵＥが、報告することに応答して基地局からメッセージを受信することを含み得る。メッセージは、ＷＬＡＮアクセスポイントと基地局との間のＵＥトラフィックの割振りまたは再割振り、あるいはＵＥによって決定されるべき少なくとも１つのメトリックのうちの１つまたは複数の指示のうちの少なくとも１つを含み得る。
【０００９】
[0009]  本方法のさらなる態様では、選択する動作は、メトリックの少なくとも２つの別個のセットのうちの１つから少なくとも１つのメトリックを選択することを含み得る。たとえば、選択することは、ＵＥがＷＬＡＮアクセスポイントとの関連状態（associated state）にあることに基づいて、別個のセットのうちの第１のセットから少なくとも１つのメトリックを選択することと、ＵＥがＷＬＡＮアクセスポイントとの非関連状態（unassociated state）にあることに基づいて、別個のセットのうちの第２のセットから少なくとも１つのメトリックを選択することとを含み得る。さらなる例では、選択することは、ＵＥがＷＬＡＮアクセスポイントとのアクティブ接続中であることに基づいて、別個のセットのうちの第１のセットから少なくとも１つのメトリックを選択することと、ＵＥがＷＬＡＮアクセスポイントとの非アクティブ接続中であることに基づいて、別個のセットのうちの第２のセットから少なくとも１つのメトリックを選択することとを含み得る。非アクティブ接続は、ＡＰに関連しない、ＡＰに関連するがデータを送らない、またはＡＰに関連するがしきい値を上回るデータを送らない（すなわち、低すぎるスループット）のうちの１つを含み得る。
【００１０】
[0010]  本方法のさらなる関係する態様では、別個のセットのうちの第１のセットのメンバーがＵＥとアクセスポイントとの間の接続の品質または帯域幅を示し得る。たとえば、別個のセットのうちの第１のセットは、オーバージエア（ＯＴＡ：over-the-air）ビットレート、フレームエラーレート（ＦＥＲ：frame error rate）、ＯＴＡスループット、アップリンクバッファサイズ、アップリンクレイテンシ（uplink latency）、メディアアクセス制御（ＭＡＣ：media access control）管理情報ベース（ＭＩＢ：management information base）カウンタ、８０２．１１報告、またはバックオフ（backoff）カウンタ値のうちのいずれか１つまたは複数を含み得る。
【００１１】
[0011]  同様に、別個のセットのうちの第２のセットのメンバーが、ＵＥによって測定されたＷＬＡＮアクセスポイントからの信号の品質、ＷＬＡＮアクセスポイント上のサービス負荷、またはＷＬＡＮアクセスポイントの能力を示し得る。たとえば、別個のセットのうちの第２のセットは、受信チャネル電力インジケータ（ＲＣＰＩ：received channel power indicator）、受信信号対雑音インジケータ（ＲＳＮＩ：received signal to noise indicator）、基本サービスセット（ＢＳＳ：basic service set）負荷、ＷＬＡＮアクセスポイントに関連する局の数、アクセスポイントを使用する有効ユーザの数、またはバッファされたトラフィックをもつアクセスポイントに関連する局の平均数のうちのいずれか１つまたは複数を含み得る。代替または追加として、別個のセットのうちの第２のセットは、ビーコン損失レート（beacon loss rate）、ワイドエリアネットワーク（ＷＡＮ）メトリック、物理レイヤレート、利用可能帯域幅、平均バックオフ時間（average backoff time）、トラフィック指示マップ間隔（traffic indication map interval）、または８０２．１１能力のうちのいずれか１つまたは複数を含み得る。
【００１２】
[0012]  別の態様では、ユーザ機器（ＵＥ：user equipment）と通信しているセルラーワイヤレスネットワークの基地局によって、セルラーワイヤレスネットワークとワイヤレスローカルエリアネットワーク（ＷＬＡＮ：wireless local area network）とを備えるネットワークにおけるワイヤレス通信のための方法が実行され得る。本方法は、基地局が、ＵＥとＷＬＡＮアクセスポイントとの間の関連付け状態を示す情報を受信することと、関連付け状態に少なくとも部分的に基づいて、アクセスポイントの少なくとも１つのメトリックを報告するようにＵＥに命令することとを含み得る。少なくとも１つのメトリックの値を報告するようにＵＥに命令する動作は、関連付け状態、しきい値に対する少なくとも１つのメトリックの値、または関連付け状態の変化のうちの少なくとも１つに基づく状態を含み得る。本方法は、基地局が、命令することに応答して、ＵＥから少なくとも１つのメトリックの値を受信することをさらに含み得る。
【００１３】
[0013]  別の態様では、本方法は、基地局が、値を受信することに応答してＵＥにメッセージを与えることを含み得る。メッセージは、ＷＬＡＮアクセスポイントと基地局との間のＵＥトラフィックの割振りまたは再割振り、あるいはＵＥによって決定されるべき少なくとも１つのメトリックのうちの１つまたは複数の指示のうちの少なくとも１つを含み得る。
【００１４】
[0014]  別の態様では、命令する動作は、メトリックの少なくとも２つの別個のセットのうちの１つから少なくとも１つのメトリックを選択するための命令を与えることを含み得る。たとえば、命令することは、ＵＥがＷＬＡＮアクセスポイントとの関連状態にあることに基づいて、別個のセットのうちの第１のセットから少なくとも１つのメトリックを選択するための命令を与えることを含み得る。本方法は、ＵＥがＷＬＡＮアクセスポイントとの非関連状態にあることに基づいて、別個のセットのうちの第２のセットから少なくとも１つのメトリックを選択することをさらに含み得る。
【００１５】
[0015]  一態様では、別個のセットのうちの第１のセットのメンバーがＵＥとアクセスポイントとの間の接続の品質または帯域幅を示し得る。別の態様では、別個のセットのうちの第２のセットのメンバーが、ＵＥによって測定されたＷＬＡＮアクセスポイントからの信号の品質、ＷＬＡＮアクセスポイント上のサービス負荷、またはＷＬＡＮアクセスポイントの能力を示し得る。
【００１６】
[0016]  関係する態様では、上記で要約した方法と方法の態様とのいずれかを実行するためのワイヤレス通信装置が提供され得る。装置は、たとえば、メモリに結合されたプロセッサを含み得、ここにおいて、メモリは、上記で説明した動作を装置に実行させるためにプロセッサが実行するための命令を保持する。そのような装置のいくつかの態様（たとえば、ハードウェア態様）は、ＵＵまたは他のモバイルエンティティ、あるいはワイヤレス通信ネットワークのアクセスポイント（スモールセルまたはマクロセル）など、機器によって例示され得る。同様に、プロセッサによって実行されたとき、上記で要約した方法と方法の態様とをＵＥまたはネットワークエンティティに実行させる、符号化された命令を保持するコンピュータ可読記憶媒体を含む、製造品が提供され得る。
【００１７】
[0017]  本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１８】
【図１】[0018]  本開示のいくつかの態様による、例示的な多元接続ワイヤレス通信システムを示す図。
【図２】[0019]  本開示のいくつかの態様による、アクセスポイントおよびユーザ端末のブロック図。
【図３】[0020]  本開示のいくつかの態様による、ワイヤレスデバイスにおいて利用され得る様々な構成要素を示す図。
【図４】[0021]  本開示のいくつかの態様による、例示的なマルチモード移動局を示す図。
【図５】[0022]  非シームレスモビリティを用いたワイヤレスローカルエリアネットワーク（ＷＬＡＮ）と３ＧＰＰアクセスインターワーキングとのための例示的なアーキテクチャを示す図。
【図６】[0023]  本開示のいくつかの態様による、セルラー／ＷＬＡＮインターネットワーク化環境における例示的なＲＦ測定制御プロシージャを示す図。
【図７】[0024]  ＵＥなどによる実行のための、ＷＬＡＮのためのメトリックのＵＥ決定および報告を管理するための方法を示す図。
【図８】[0025]  図７によって示された方法中に含まれ得る追加の動作を示す図。
【図９】図７によって示された方法中に含まれ得る追加の動作を示す図。
【図１０】図７によって示された方法中に含まれ得る追加の動作を示す図。
【図１１】[0026]  図７の方法による、ＷＬＡＮのためのメトリックの測定および報告を管理するための端末装置を示す図。
【図１２】[0027]  基地局などによる実行のための、ＷＬＡＮのためのメトリックのＵＥ報告を管理するための方法を示す図。
【図１３】[0028]  図１２によって示された方法中に含まれ得る追加の動作を示す図。
【図１４】図１２によって示された方法中に含まれ得る追加の動作を示す図。
【図１５】[0029]  図１２の方法による、ＷＬＡＮのためのメトリックの測定および報告を管理するためのセルラーアクセスポイント装置を示す図。
【発明を実施するための形態】
【００１９】
[0030]  添付の図面を参照しながら本開示の様々な態様について以下でより十分に説明する。ただし、本開示は、多くの異なる形態で実施され得、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示のいずれの態様も、請求項の１つまたは複数の要素によって実施され得ることを理解されたい。
【００２０】
[0031]  「例示的（exemplary）」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２１】
[0032]  本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、そのうちのいくつかを例として図および好適な態様についての以下の説明で示す。発明を実施するための形態および図面は、本開示を限定するものではなく説明するものにすぎず、本開示の範囲は添付の特許請求の範囲およびそれの均等物によって定義される。
例示的なワイヤレス通信システム
[0033]  本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューションは、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体からの文書に記載されている。ＣＤＭＡ２０００は、「第３世代パートナーシッププロジェクト２」（３ＧＰＰ２：3rd Generation Partnership Project 2）という名称の団体からの文書に記載されている。
【００２２】
[0034]  シングルキャリア周波数分割多元接続（ＳＣ−ＦＤＭＡ）は、送信機側でシングルキャリア変調を利用し、受信機側で周波数領域等化を利用する１つの送信技法である。ＳＣ−ＦＤＭＡは、ＯＦＤＭＡシステムと同様の性能および本質的に同じ全体的な複雑さを有する。ただし、ＳＣ−ＦＤＭＡ信号は、その特有のシングルキャリア構造のためにより低いピーク対平均電力比（ＰＡＰＲ：peak-to-average power ratio）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ＬＴＥおよび発展型ＵＴＲＡにおけるアップリンク多元接続方式に関する実用的な前提である。
【００２３】
[0035]  アクセスポイント（「ＡＰ（access point）」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２４】
[0036]  アクセス端末（「ＡＴ（access terminal）」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２５】
[0037]  図１を参照すると、ワイヤレスネットワークの取得を開始する時間を低減するための説明されるプロシージャが実行され得る、一態様による多元接続ワイヤレス通信システムが示されている。アクセスポイント１００（ＡＰ）は複数のアンテナグループを含み得、あるアンテナグループはアンテナ１０４と１０６とを含み、別のアンテナグループはアンテナ１０８と１１０とを含み、追加のアンテナグループはアンテナ１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される次いで異なる周波数を使用し得る。
【００２６】
[0038]  アンテナの各グループ、および／またはアンテナが通信するように設計されたエリアは、しばしば、アクセスポイントのセクタと呼ばれる。本開示の一態様では、アンテナグループはそれぞれ、アクセスポイント１００によってカバーされるエリアのセクタ内でアクセス端末に通信するように設計され得る。
【００２７】
[0039]  順方向リンク１２０および１２６上の通信では、アクセスポイント１００の送信アンテナは、異なるアクセス端末１１６および１２２に対して順方向リンクの信号対雑音比を改善するためにビームフォーミングを利用し得る。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００２８】
[0040]  図２に、多入力多出力（ＭＩＭＯ）システム２００における（アクセスポイントとしても知られる）送信機システム２１０と（アクセス端末としても知られる）受信機システム２５０との実施形態のブロック図を示す。送信機システム２１０において、いくつかのデータストリームのトラフィックデータがデータソース２１２から送信（ＴＸ）データプロセッサ２１４に与えられる。
【００２９】
[0041]  本開示の一態様では、各データストリームは、それぞれの送信アンテナを介して送信され得る。ＴＸデータプロセッサ２１４は、各データストリームのトラフィックデータを、そのデータストリーム用に選択された特定のコーディング方式に基づいてフォーマットし、コーディングし、インターリーブして、コード化データを与える。
【００３０】
[0042]  各データストリームのコード化データは、ＯＦＤＭ技法を使用してパイロットデータと多重化され得る。パイロットデータは、一般に、知られている方法で処理され、チャネル応答を推定するために受信機システムにおいて使用され得る知られているデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ２３０によって実行される命令によって決定され得る。メモリ２３２は、送信機システム２１０のためのデータとソフトウェアとを記憶し得る。
【００３１】
[0043]  次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。次いで、ＴＸ  ＭＩＭＯプロセッサ２２０はＮT個の変調シンボルストリームをＮT個の送信機（ＴＭＴＲ）２２２ａ〜２２２ｔに与える。本開示のいくつかの態様では、ＴＸ  ＭＩＭＯプロセッサ２２０は、データストリームのシンボルと、シンボルの送信元のアンテナとにビームフォーミング重みを適用する。
【００３２】
[0044]  各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、送信機２２２ａ〜２２２ｔからのＮT個の被変調信号が、ＮT個のアンテナ２２４ａ〜２２４ｔからそれぞれ送信される。
【００３３】
[0045]  受信機システム２５０において、送信された被変調信号はＮR個のアンテナ２５２ａ〜２５２ｒによって受信され得、各アンテナ２５２からの受信信号は、それぞれの受信機（ＲＣＶＲ）２５４ａ〜２５４ｒに与えられ得る。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【００３４】
[0046]  次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理に対して相補的であり得る。
【００３５】
[0047]  プロセッサ２７０は、どのプリコーディング行列を使用すべきかを定期的に決定する。プロセッサ２７０は、行列インデックス部分とランク値部分とを備える逆方向リンクメッセージを作成する。メモリ２７２は、受信機システム２５０のためのデータとソフトウェアとを記憶し得る。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３６】
[0048]  送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。次いで、プロセッサ２３０は、ビームフォーミング重みを決定するためにどのプリコーディング行列を使用すべきかを決定し、抽出されたメッセージを処理する。
【００３７】
[0049]  図３に、図１に示したワイヤレス通信システム内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は基地局１００、またはユーザ端末１１６および１２２であり得る。
【００３８】
[0050]  ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明する方法を実装するように実行可能であり得る。
【００３９】
[0051]  ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００４０】
[0052]  ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００４１】
[0053]  ワイヤレスデバイス３０２の様々な構成要素は、データバスに加えて、電力バスと、制御信号バスと、ステータス信号バスとを含み得る、バスシステム３２２によって互いに結合され得る。
【００４２】
[0054]  加入者にとって利用可能なサービスを拡張するために、いくつかのＭＳは、複数の無線アクセス技術（ＲＡＴ：radio access technology）を用いた通信をサポートし得る。たとえば、図４に示すように、マルチモード移動局（ＭＳ）４１０は、ブロードバンドデータサービスのためのＬＴＥと音声サービスのための符号分割多元接続（ＣＤＭＡ）とをサポートし得る。例示的に、ＬＴＥは第１のＲＡＴ４２０1として示され、ＣＤＭＡは第２のＲＡＴ４２０2として示され、Ｗｉ−Ｆｉ（登録商標）は第３のＲＡＴ４２２1として示されている。
【００４３】
[0055]  いくつかの適用例では、マルチＲＡＴインターフェース論理４３０が、長距離ＲＡＴと短距離ＲＡＴとの間で情報を交換するために使用され得る。これは、ネットワークプロバイダが、マルチモードＭＳ４１０のエンドユーザがどのように（どのＲＡＴを介して）実際にネットワークに接続するかを制御することを可能にし得る。インターフェース論理４３０は、たとえば、ローカルＩＰ接続性またはコアネットワークへのＩＰ接続性をサポートし得る。
【００４４】
[0056]  たとえば、ネットワークプロバイダは、利用可能なとき、短距離ＲＡＴを介してネットワークに接続するようにマルチモードＭＳに指示することが可能であり得る。この能力は、ネットワークプロバイダが、特定のエアリソースの輻輳を緩和する方法でトラフィックをルーティングすることを可能にし得る。実際に、ネットワークプロバイダは、短距離ＲＡＴを使用して、（長距離ＲＡＴの）あるエアトラフィックをワイヤラインネットワークに分散させるか、またはあるエアトラフィックを、輻輳したワイヤレスネットワークからあまり輻輳していないワイヤレスネットワークに分散させ得る。モバイルユーザが速度を短距離ＲＡＴに好適でないあるレベルまで増加させたときなど、状況が要求するとき、トラフィックは短距離ＲＡＴから再ルーティングされ得る。
【００４５】
[0057]  さらに、長距離ＲＡＴは、一般に、数キロメートルにわたってサービスを与えるように設計されるので、長距離ＲＡＴを使用するときのマルチモードＭＳからの送信の電力消費は重要である。対照的に、短距離ＲＡＴ（たとえば、Ｗｉ−Ｆｉ）は、数百メートルにわたってサービスを与えるように設計される。したがって、利用可能なときに短距離ＲＡＴを利用することにより、マルチモードＭＳ４１０による電力消費はより少なくなり、したがって、バッテリー寿命がより長くなり得る。
【００４６】
相互作用環境におけるネットワーク選択および測定報告
[0058]  図５に、非シームレスモビリティを用いたワイヤレスローカルエリアネットワーク（ＷＬＡＮ）と３ＧＰＰアクセスインターワーキングとのための例示的なアーキテクチャを示す。そのようなアーキテクチャでは、ユーザ機器（ＵＥ）５０２は、ｅＮＢ１  ５０４とＷＬＡＮ  ＡＰ５０６とにおいて異なるインターネットプロトコル（ＩＰ）アドレスを使用し得る。
【００４７】
[0059]  ＵＥ５０２は別々のパケットデータネットワーク（ＰＤＮ）接続を使用し得る。ＷＬＡＮのためのデータプレーンと３ＧＰＰのためのデータプレーンとは本質的に無関係であり、セッション継続性（たとえば、ＷＬＡＮに対するモビリティサポート）がない。言い換えれば、ＵＥ５０２は、（たとえば、３ＧＰＰネットワークからの支援なしで）独立してＷＬＡＮ  ＡＰを見つけ得、これは非効率であり得る。
【００４８】
[0060]  本開示のいくつかの態様は、しかしながら、トラフィックにアクセスしてＷＬＡＮにオフロードするＵＥを制御する、セルラーネットワークのための技法を提供し得る。このようにして、ＵＥは、一般にパッシブスキャニングとアクティブスキャニングとを含む８０２．１１において規定されているスキャニングプロシージャを実行することによって、ＷＬＡＮ  ＡＰに気づき得る。
【００４９】
[0061]  ＵＥは、受信機をオンにしたままＷＬＡＮビーコンの受信を待たなければならないので、８０２．１１において定義されているパッシブスキャニングは、ＵＥにとって非効率的であり得る。ビーコン送信間隔は１００ミリ秒程度であるので、これにより、スキャンすべき数十のチャネルがある場合、スキャンエネルギーが高くなり、スキャンレイテンシが高くなり得る。アクティブスキャンはより速くなり得るが、ＷＬＡＮにトラフィック、すなわち、プローブ要求とプローブ応答とを追加する。アクティブスキャニングはまた、電力集約的である。
【００５０】
[0062]  いくつかの規格（たとえば、８０２．１１ｕ）は、ＵＥがＡＰに関連付けられることなしに、ＡＰに関するさらなる情報を発見するための追加の機構を定義している。たとえば、一般広告サービス（ＧＡＳ：generic advertisement service）が、ネットワーク中のＵＥとサーバとの間での広告プロトコルのフレームのトランスポートを与え得る。このシナリオでは、ＡＰは、キャリアのネットワーク中のサーバへのモバイルデバイスのクエリのリレーと、サーバの応答をモバイルに配信することとを担当し得る。
【００５１】
[0063]  別の機構の例としては、ホットスポット事業者のドメイン名と、認証のためにサポートされたそれらの証明タイプおよびＥＡＰ方法とともにホットスポットを介してアクセス可能なローミングパートナーと、ＩＰアドレスタイプ利用可能性と、ＵＥのネットワーク選択プロセスにおいて有用な他のメタデータとを含む、一般にＧＡＳを介してトランスポートされるＡＰからのＵＥ／ＳＴＡによるアクセスネットワーク情報検索のためのクエリ広告プロトコルである、アクセスネットワーククエリプロトコル（ＡＮＱＰ：access network query protocol）がある。
【００５２】
[0064]  ＵＥは、測定を行うためにＷＬＡＮ  ＡＰに関連しなくてもよいことがある。ＵＥは、８０２．１１ｋ、８０２．１１ｕおよびＨｏｔｓｐｏｔ２．０において定義されている追加のプロシージャのサブセットをサポートし得る。
【００５３】
[0065]  無線アクセスネットワーク（ＲＡＮ：radio access network）に関して、図５に示すように、ＡＰとＢＳとの間のインターフェースがないことがある。これが事業者制御ＷＬＡＮ  ＡＰに対して動作することが予想されても、負荷情報またはネイバー情報がバックホール（backhaul）を介して交換されることは予想されない。しかしながら、コロケート（collocated）ＡＰおよびＢＳの場合、ＡＰに関する８０２．１１ｋ、８０２．１１ｕ、およびＨｏｔｓｐｏｔ２．０情報が（たとえば、バックホールリンクを介して）ＢＳにおいて知られ得、ＵＥは、情報を取得するためにＡＮＱＰを実行する必要がないことがある。
【００５４】
[0066]  高効率パッシブスキャニングが可能にされたとき、ＡＰは、ＲＡＮによって広告された時間にＡＰのビーコンを送信し得る。言い換えれば、ＡＰは、セルラータイミングおよびＳＦＮを取得し、ＲＡＮによって広告されたビーコン送信時間を知る必要があり得る。いくつかの態様では、ＡＰを識別するために報告の２つのレベルが必要とされ得、（たとえば、ＢＳＳＩＤに基づいて）すなわち、ビーコンのみからＡＰを識別するか、または（たとえば、非コロケートＡＰおよびｅＮＢの場合）ＡＮＱＰを使用して、情報を識別する８０２．１１ｋ、８０２．１１ｕ、またはＨｏｔｓｐｏｔ２．０を与える。いくつかの態様では、図に示されてないこの情報を交換するためのバックホールインターフェースを有することが可能である。
【００５５】
[0067]  ＷＬＡＮ／３ＧＰＰインターワーキングに関する３ＧＰＰ  ＴＲ３７．８３４［１]のセクション６．２．３では、ＲＲＣ  ＣＯＮＮＥＣＴＥＤ／ＣＥＬＬ＿ＤＣＨ状態におけるＵＥのためのトラフィックステアリング（traffic steering）が、専用トラフィックステアリングコマンドを使用して、また、潜在的にＷＬＡＮ測定に基づいてネットワークによって制御される。本出願は、ＲＲＣ  ＣＯＮＮＥＣＴＥＤ／ＣＥＬＬ＿ＤＣＨ状態におけるＵＥのためのトラフィックステアリングに関する詳細を提示し、３ＧＰＰ  ＴＲ３７．８３４［１]において定義されている使用事例への適用を示す。
【００５６】
Ａ．  ＵＥは、ＵＴＲＡＮ／Ｅ−ＵＴＲＡＮカバレージ内にあり、３ＧＰＰを使用しており、ＷＬＡＮ  ＡＰカバレージに入る
Ｂ．  ＵＥは、ＵＴＲＡＮ／Ｅ−ＵＴＲＡＮおよびＷＬＡＮカバレージ内にあり、ＷＬＡＮを使用しており、ＷＬＡＮ  ＡＰカバレージから出る
Ｃ．  ＵＥは両方のカバレージエリア内にあり、ＷＬＡＮを使用するＵＥ、ＵＥのトラフィックのすべてまたはサブセットが、代わりにＵＴＲＡＮ／Ｅ−ＵＴＲＡＮを介してルーティングされるべきである
Ｄ．  ＵＥは両方のカバレージエリア内にあり、ＵＴＲＡＮ／Ｅ−ＵＴＲＡＮを使用するＵＥ、ＵＥのトラフィックのすべてまたはサブセットが、代わりにＷＬＡＮを介してルーティングされるべきである
Ｅ．  両方のアクセスを使用するＵＥ、ただ１つ（ＷＬＡＮまたはＵＴＲＡＮ／Ｅ−ＵＴＲＡＮ）に接続されるべきであるか、またはいくつかのトラフィックが他のアクセスに移動されるべきである
[0068]  図６に、ＲＲＣ  ＣＯＮＮＥＣＴＥＤ／ＣＥＬＬ＿ＤＣＨ状態におけるＵＥのためのトラフィックステアリング６００を示す。ＲＲＣ  ＣＯＮＮＥＣＴＥＤ／ＣＥＬＬ＿ＤＣＨにおけるモビリティ管理のために定義された原理に基づいて、トラフィックステアリングは、図６に示されているように以下のステップを備える。
【００５７】
１．  測定制御：（ｅ）ＮＢ６０４は、測定されるべきターゲットＷＬＡＮ６０６の識別を含むＵＥ測定プロシージャを構成する。本明細書で使用する「（ｅ）ＮＢ」はｅＮＢまたはノードＢ（ＮＢ）を示す。
【００５８】
２．  測定報告：ＵＥ６０２は、測定制御によって設定された規則によって測定報告を送るようにトリガされる。
【００５９】
３．  トラフィックステアリング：（ｅ）ＮＢは、トラフィックステアリングを実行するために、ＵＥにＲＲＣ  ＲＲＣ接続再構成メッセージを送る。
【００６０】
[0100]  測定制御では、事業者ＷＬＡＮを測定するようにＵＥを構成するために以下のタイプの情報が定義され得る。
【００６１】
１．  報告をトリガするための測定イベント
２．  ターゲット識別
３．  行われるべき測定（セクション３．２報告すべき測定参照）
[0101]  ＴＳ３６．３３１およびＴＳ２５．３３１において定義されている測定イベントに基づいて、表１に、ＷＬＡＮについての候補測定イベントを示す。
【００６２】
【表１】
2018160906.tif 000003
【００６３】
[0102]  注：しきい値は報告すべき測定の値に基づく。これらの値は、本明細書において以下で説明するように定義され得る。ターゲット識別は、探索すべきターゲットＷＬＡＮ  ＩＤと動作チャネルとを含む測定制御プロシージャについてどのＷＬＡＮを考慮すべきかをＵＥに示すために使用され得る。
【００６４】
[0103]  表２に、ＷＬＡＮについての候補ターゲット識別子を示す。
【００６５】
【表２】
2018160906.tif 000004
【００６６】
[0104]  表３に、ＵＥが関連しないときにＷＬＡＮについて報告すべき候補測定を示す。
【００６７】
【表３】
2018160906.tif 000005
【００６８】
[0105]  表４に、ＵＥがＷＬＡＮに関連するときにＷＬＡＮについて報告すべき候補測定を示す。
【００６９】
【表４】
2018160906.tif 000006
【００７０】
[0106]  表５に、ＷＬＡＮにまたはＷＬＡＮからステアリングすべきトラフィックを識別するための候補を示す。
【００７１】
【表５】
2018160906.tif 000007
【００７２】
３ＧＰＰ技術報告（ＴＲ）３７．８３４において定義されている使用事例への適用可能性：
[0107]  Ａ．ＵＥが、ＵＴＲＡＮ／Ｅ−ＵＴＲＡＮカバレージ内にあり、３ＧＰＰを使用しており、ＷＬＡＮＡＰカバレージに入る場合
測定制御：（ｅ）ＮＢは、たとえば、しきい値を上回るＲＳＮＩをもつイベントＷ１を使用して、ＵＥがカバレージに移動するときに１つまたは複数のＷＬＡＮ  ＡＰを報告するようにＵＥを構成する
測定イベント：ＵＥはＷＬＡＮ  ＡＰを検出し、イベントがトリガし、ＵＥは測定を報告する
トラフィックステアリング：（ｅ）ＮＢは、一部または全部のトラフィック、たとえば、ベストエフォートＱＣＩ９をＷＬＡＮにステアリングする。
【００７３】
[0108]  Ｂ．ＵＥが、ＵＴＲＡＮ／Ｅ−ＵＴＲＡＮおよびＷＬＡＮカバレージ内にあり、ＷＬＡＮを使用しており、ＷＬＡＮ  ＡＰカバレージから出る場合
測定制御：（ｅ）ＮＢは、たとえば、しきい値を下回るＲＣＰＩをもつイベントＷ２を使用して、ＵＥがカバレージから出るときに１つまたは複数のＷＬＡＮ  ＡＰを報告するようにＵＥを構成する
測定イベント：イベントがトリガし、ＵＥは測定を報告する
トラフィックステアリング：（ｅ）ＮＢはすべてのトラフィックをＷＬＡＮにステアリングする
[0109]  Ｃ．ＵＥが両方のカバレージエリア内にあり、ＷＬＡＮを使用するＵＥ、ＵＥのトラフィックのすべてまたはサブセットが、代わりにＵＴＲＡＮ／Ｅ−ＵＴＲＡＮを介してルーティングされるべきである場合
測定制御：（ｅ）ＮＢは、たとえば、しきい値を上回るＢＳＳ負荷をもつイベントＷ１を使用して、ＷＬＡＮがいつしきい値を上回るかを報告するようにＵＥを構成する
測定イベント：イベントがトリガし、ＵＥは測定を報告する
トラフィックステアリング：（ｅ）ＮＢは、一部または全部のトラフィック、たとえば、高ＱｏＳトラフィックＱＣＩ１をＵＴＲＡＮ／Ｅ−ＵＴＲＡＮにステアリングする
[0110]  Ｄ．ＵＥが両方のカバレージエリア内にあり、ＵＴＲＡＮ／Ｅ−ＵＴＲＡＮを使用するＵＥ、ＵＥのトラフィックのすべてまたはサブセットが、代わりにＷＬＡＮを介してルーティングされるべきである場合
測定制御：（ｅ）ＮＢは、たとえば、しきい値を下回るＢＳＳ負荷をもつイベントＷ２を使用して、ＷＬＡＮがいつしきい値を下回るかを報告するようにＵＥを構成する
測定イベント：イベントがトリガし、ＵＥは測定を報告する
トラフィックステアリング：（ｅ）ＮＢは、一部または全部のトラフィック、たとえば、ビデオストリーミングＱＣＩ６をＷＬＡＮにステアリングする
[0111]  Ｅ．両方のアクセスを使用するＵＥ、ただ１つ（ＷＬＡＮまたはＵＴＲＡＮ／Ｅ−ＵＴＲＡＮ）に接続されるべきであるか、またはいくつかのトラフィックが他のアクセスに移動されるべきである。
【００７４】
[0112]  本明細書で図示および説明する例示的なシステムに鑑みて、開示する主題に従って実装され得る方法は、様々なフローチャートを参照すればより良く諒解されよう。方法を一連の行為／ブロックとして図示および説明し、ブロックの数または順序は請求する主題を限定しない。いくつかのブロックは、本明細書で図示および説明するものとは異なる順序で、および／または他のブロックと実質的に同時に起こり得る。その上、本明細書で説明する方法を実装するために、図示されたすべてのブロックが必要とされるとは限らない。ブロックに関連する機能は、ソフトウェア、ハードウェア、それらの組合せあるいは任意の他の好適な手段（たとえば、デバイス、システム、プロセス、または構成要素）によって実装され得る。さらに、本明細書の全体にわたって開示する方法は、そのような方法を様々なデバイスに移送および転送することを可能にする製造品に記憶されることが可能である。方法は、代替的に、状態図などで、一連の相互に関係する状態またはイベントとして表現され得ることを、当業者は理解し、諒解するであろう。
【００７５】
[0113]  本明細書で説明する実施形態の１つまたは複数の態様によれば、図７を参照すると、ＷＬＡＮパラメータの測定を管理するためのワイヤレスデバイス（たとえば、モバイルエンティティ、ＵＥ、アクセス端末など）によって動作可能な方法７００が示されている。詳細には、方法７００は、７１０において、ユーザ機器（ＵＥ）が、ＵＥとＷＬＡＮアクセスポイントとの間の関連付け状態を決定することを含み得る。「関連付け状態（association state）」は、ＵＥがＷＬＡＮアクセスポイントにワイヤレスに接続されるか否かを指す。ＵＥとＷＬＡＮとが接続された（たとえば、互いにワイヤレス通信している）場合、これらのデバイスは関連状態にある。そうでない場合、デバイスは非関連状態にある。「関連付け状態を決定すること」は、たとえば、ＵＥが現在、複数の可能な関連付け状態のうちのどれにあるかを検出することを含み得る。可能な関連付け状態は、たとえば、関連状態、非関連状態、および本明細書で説明する他の状態を含み得る。
【００７６】
[0114]  方法７００は、７２０において、関連付け状態に少なくとも部分的に基づいて、アクセスポイントの少なくとも１つのメトリックを選択することをさらに含み得る。たとえば、ＵＥは、関連付け状態に応じて、どの（１つまたは複数の）メトリックを選択すべきかを決定し得る。方法７００は、７３０において、少なくとも１つのメトリックの値を決定することをさらに含み得る。たとえば、ＵＥは、非関連状態にある場合、ＵＥからの信号を測定し得るか、またはＷＬＡＮとの関連状態にある場合、ＷＬＡＮにメトリック情報を要求し得る。
【００７７】
[0115]  図８〜図１２に、ワイヤレス通信システムのモバイルエンティティによる動作のための方法７００とともに、基地局によって実行され得るさらなる随意の動作または態様８００〜１２００を示す。図８〜図１２に示されている動作は、方法７００を実行するために必要とされない。動作８００〜１２００は、独立して実行され、ブロックから反対側の分岐上に位置しない限り一般に相互排他的ではない。別のダウンストリームまたはアップストリーム動作が実行されるかどうかにかかわらず、そのような独立した、相互排他的ではない動作のうちのいずれか１つが実行され得る。方法７００が図８００〜図１２００の少なくとも１つの動作を含む場合、方法７００は、必ずしも、図示され得るいかなる（１つまたは複数の）後続のダウンストリーム動作をも含む必要なしに、少なくとも１つの動作の後に終了し得る。逆に、ブロックの反対側の分岐上に直接位置する動作は、方法の特定の事例において相互排他的な代替であり得る。
【００７８】
[0116]  図８を参照すると、方法７００は、追加の動作８００のうちの１つまたは複数を含み得る。たとえば、方法７００は、８１０において、関連付け状態、しきい値に対する少なくとも１つのメトリックの値、関連付け状態の変化、またはセルラーワイヤレスネットワークの基地局から報告命令を受信することのうちの少なくとも１つに基づいて、少なくとも１つのメトリックの値を基地局に報告すべきかどうかを決定することをさらに含み得る。方法７００は、８２０において、報告すべきかどうかを決定することに基づいて、少なくとも１つのメトリックの値をセルラーワイヤレスネットワークの基地局に報告することをさらに含み得る。方法７００は、８３０において、報告することに応答して基地局からメッセージを受信することをさらに含み得、ここにおいて、メッセージは、ＷＬＡＮアクセスポイントと基地局との間のＵＥトラフィックの割振りまたは再割振り、あるいはＵＥによって決定されるべき少なくとも１つのメトリックのうちの１つまたは複数の指示のうちの少なくとも１つ含む。代替または追加として、ＵＥは、基地局から命令を受信することなしに報告するための１つまたは複数のメトリックを選択し得る。
【００７９】
[0117]  図９を参照すると、方法７００は、追加の動作９００のうちの１つまたは複数を含み得る。たとえば、方法７００は、９０５において、メトリックの少なくとも２つの別個のセットのうちの１つから少なくとも１つのメトリックの選択を行うことをさらに含み得る。異なる関連付け状態のための別個のメトリックセットの例が本明細書で提供される。本明細書で使用する「別個のセット（distinct sets）」は、セットがそれぞれ、それのカウンターパートメトリックセット中で見つけられない最小１つの固有の要素を含むことを意味する。メトリックのセットは、両方のセット中の１つまたは複数の共通要素を随意に含み得る。
【００８０】
[0118]  より詳細には、およびさらなる例では、方法７００は、９１０において、ＵＥがＷＬＡＮアクセスポイントとの関連状態にあることに基づいて、別個のセットのうちの第１のセットから少なくとも１つのメトリックの選択を行うことと、ＵＥがＷＬＡＮアクセスポイントとの非関連状態にあることに基づいて、別個のセットのうちの第２のセットから少なくとも１つのメトリックを選択することとを含み得る。方法７００は、９２０において、選択することが、ＵＥがＷＬＡＮアクセスポイントとのアクティブ接続中であることに基づいて、別個のセットのうちの第１のセットから少なくとも１つのメトリックの選択を行うことと、ＵＥがＷＬＡＮアクセスポイントとの非アクティブ接続中であることに基づいて、別個のセットのうちの第２のセットから少なくとも１つのメトリックを選択することとを含むことをさらに含み得る。方法７００は、９３０において、非アクティブ接続を、ＡＰに関連しない、ＡＰに関連するがデータを送らない、またはＡＰに関連するがしきい値を上回るデータを送らない（すなわち、低すぎるスループット）のうちの１つである接続として定義することをさらに含み得る。
【００８１】
[0119]  図１０を参照すると、方法７００は、追加の動作１０００のうちの１つまたは複数を含み得る。たとえば、方法７００は、１０１０において、別個のセットのうちの第１のセットのメンバーがＵＥとアクセスポイントとの間の接続の品質または帯域幅を示すことをさらに含み得る。たとえば、１０２０において、別個のセットのうちの第１のセットは、オーバージエア（ＯＴＡ）ビットレート、フレームエラーレート（ＦＥＲ）、ＯＴＡスループット、アップリンクバッファサイズ、アップリンクレイテンシ、メディアアクセス制御（ＭＡＣ）管理情報ベース（ＭＩＢ）カウンタ、８０２．１１報告、またはバックオフカウンタ値のうちのいずれか１つまたは複数を含む。第１のセットは、代替として、列挙されたメトリックのうちのいずれか１つまたは複数を除外し得る。
【００８２】
[0120]  同様に、方法７００は、１０３０において、別個のセットのうちの第２のセットのメンバーが、ＵＥによって測定されたＷＬＡＮアクセスポイントからの信号の品質、ＷＬＡＮアクセスポイント上のサービス負荷、またはＷＬＡＮアクセスポイントの能力を示すことを含み得る。たとえば、１０４０において、別個のセットのうちの第２のセットは、受信チャネル電力インジケータ（ＲＣＰＩ）、受信信号対雑音インジケータ（ＲＳＮＩ）、基本サービスセット（ＢＳＳ）負荷、ＷＬＡＮアクセスポイントに関連する局の数、アクセスポイントを使用する有効ユーザの数、またはバッファされたトラフィックをもつアクセスポイントに関連する局の平均数のうちのいずれか１つまたは複数を含む。さらなる例では、１０５０において、別個のセットのうちの第２のセットは、ビーコン損失レート、ワイドエリアネットワーク（ＷＡＮ）メトリック、物理レイヤレート、利用可能帯域幅、平均バックオフ時間、トラフィック指示マップ間隔、または８０２．１１能力のうちのいずれか１つまたは複数を含む。代替として、第２のセットは、列挙されたメトリックのうちのいずれか１つまたは複数を除外し得る。
【００８３】
[0121]  本明細書で説明する実施形態の１つまたは複数の態様によれば、図７〜図１０に関して上記で説明したように、ＷＬＡＮ測定および報告を管理するためのデバイスならびに装置が提供される。図１１を参照すると、ワイヤレスデバイスとして、あるいは内部での使用のためのプロセッサまたは同様のデバイス／構成要素として構成され得る、例示的な装置１１００が与えられている。装置１１００は、プロセッサ、ソフトウェア、またはそれらの組合せ（たとえば、ファームウェア）によって実装される機能を表すことができる機能ブロックを含み得る。たとえば、装置１１００は、ユーザ機器（ＵＥ）が、ＵＥとＷＬＡＮアクセスポイントとの間の関連付け状態を決定するための電気的構成要素、モジュールまたは手段１１１２を含み得る。前記手段は、たとえば図７〜図１０に関して説明したように、決定する動作を実行するためのより詳細なアルゴリズムを実行するプロセッサを含み得る。
【００８４】
[0122]  装置１１００は、関連付け状態に少なくとも部分的に基づいて、アクセスポイントの少なくとも１つのメトリックを選択するための構成要素、モジュールまたは手段１１１３を含み得る。前記手段は、たとえば図７〜図１０に関して説明したように、選択する動作を実行するためのより詳細なアルゴリズムを実行するプロセッサを含み得る。
【００８５】
[0123]  装置１１００は、少なくとも１つのメトリックの値を決定するための構成要素、モジュールまたは手段１１１４を含み得る。前記手段は、たとえば図７〜図１０に関して説明したように、第２の決定する動作を実行するためのより詳細なアルゴリズムを実行するプロセッサを含み得る。
【００８６】
[0124]  関係する態様では、プロセッサとしてではなく、ワイヤレスデバイス（たとえば、モバイルエンティティ、ＵＥ、アクセス端末など）として構成された装置１１００の場合、装置１１００は、少なくとも１つのプロセッサを有するプロセッサ構成要素１１５０を随意に含み得る。そのような場合、プロセッサ１１５０は、バス１１５２または同様の通信結合を介して構成要素１１１２〜１１１４と動作可能に通信していることがある。プロセッサ１１５０は、電気的構成要素１１１２〜１１１４によって実行される処理または機能の起動とスケジューリングとを実施し得る。
【００８７】
[0125]  さらなる関係する態様では、装置１１００は、トランシーバ構成要素１１５４（無線／ワイヤレスまたはワイヤード）を含み得る。トランシーバ１１５４の代わりにまたはトランシーバ１１５４とともに、スタンドアロン受信機および／またはスタンドアロン送信機が使用され得る。装置１１００は、たとえば、メモリデバイス／構成要素１１５６など、情報を記憶するための構成要素を随意に含み得る。コンピュータ可読媒体またはメモリ構成要素１１５６は、バス１１５２などを介して装置１１００の他の構成要素に動作可能に結合され得る。メモリ構成要素１１５６は、構成要素１１１２〜１１１４、およびそれらの副構成要素、またはプロセッサ１１５０、または本明細書で開示する方法の処理と挙動とを実施するための、コンピュータ可読命令とデータとを記憶するように適応され得る。メモリ構成要素１１５６は、構成要素１１１２〜１１１４に関連する機能を実行するための命令を保持し得る。メモリ１１５６の外部にあるものとして示されているが、構成要素１１１２〜１１１４はメモリ１１５６の内部に存在することができることを理解されたい。図１１中の構成要素は、プロセッサ、電子デバイス、ハードウェアデバイス、電子的副構成要素、論理回路、メモリ、ソフトウェアコード、ファームウェアコードなど、またはそれらの任意の組合せを備え得ることにさらに留意されたい。
【００８８】
[0126]  本明細書で説明する実施形態の１つまたは複数の態様によれば、図１２を参照すると、ＵＥなどによるＷＬＡＮメトリック報告を管理するためのネットワークエンティティ（たとえば、ＢＳ、ｅＮＢなど）によって動作可能な方法１２００が示されている。詳細には、方法１２００は、１２１０において、ユーザ機器（ＵＥ）と通信しているセルラーワイヤレスネットワークの基地局が、ＵＥとＷＬＡＮアクセスポイントとの間の関連付け状態を示す情報を受信することを伴い得る。さらに、方法１２００は、１２２０において、ネットワークエンティティが、関連付け状態に少なくとも部分的に基づいて、アクセスポイントの少なくとも１つのメトリックを報告するようにＵＥに命令することを含み得る。
【００８９】
[0127]  図１３〜図１４に、ワイヤレス通信システムのネットワークエンティティにおけるＷＬＡＮ報告を管理するための方法１２００とともに、基地局によって実行され得るさらなる随意の動作または態様１３００〜１４００を示す。図１３〜図１４に示されている動作は、方法１２００を実行するために必要とされない。動作１３００〜１４００は、独立して実行され、ブロックから反対側の分岐上に位置しない限り一般に相互排他的ではない。別のダウンストリームまたはアップストリーム動作が実行されるかどうかにかかわらず、そのような独立した、相互排他的ではない動作のうちのいずれか１つが実行され得る。方法１２００が図１３〜図１４の少なくとも１つの動作を含む場合、方法１２００は、必ずしも、図示され得るいかなる（１つまたは複数の）後続のダウンストリーム動作をも含む必要なしに、少なくとも１つの動作の後に終了し得る。逆に、ブロックの反対側の分岐上に直接位置する動作は、方法の特定の事例において相互排他的な代替であり得る。
【００９０】
[0128]  図１３を参照すると、方法１２００は、追加の動作１３００のうちの１つまたは複数を含み得る。たとえば、方法１２００は、１３１０において、命令することに応答して、ＵＥから少なくとも１つのメトリックの値を受信することをさらに含み得る。方法１２００は、１３２０において、少なくとも１つのメトリックの値を報告するようにＵＥに命令することが、関連付け状態、しきい値に対する少なくとも１つのメトリックの値、または関連付け状態の変化のうちの少なくとも１つに基づく少なくとも１つの状態を含むことをさらに含み得る。
【００９１】
[0129]  関係する態様では、方法１２００は、１３３０において、値を受信することに応答してＵＥにメッセージを与えることを含み得、メッセージは、ＷＬＡＮアクセスポイントと基地局との間のＵＥトラフィックの割振りまたは再割振り（たとえば、あるトラフィックが異なる経路に割り振られるか、または割り振られることになるとＵＥに通知すること）、あるいはＵＥによって決定されるべき少なくとも１つのメトリックのうちの１つまたは複数の指示のうちの少なくとも１つを含む。代替として、メッセージは、説明した情報要素のいずれかまたは両方を除外し得る。
【００９２】
[0130]  図１４を参照すると、方法１２００は、追加の動作１４００のうちの１つまたは複数を含み得る。たとえば、方法１２００は、１４１０において、命令することが、メトリックの少なくとも２つの別個のセットのうちの１つから少なくとも１つのメトリックを選択するための命令を含むことをさらに含み得る。さらに、方法１２００は、１４２０において、命令することが、ＵＥがＷＬＡＮアクセスポイントとの関連状態にあることに基づいて、別個のセットのうちの第１のセットから少なくとも１つのメトリックを選択することと、ＵＥがＷＬＡＮアクセスポイントとの非関連状態にあることに基づいて、別個のセットのうちの第２のセットから少なくとも１つのメトリックを選択することとを行うための命令を含むことをさらに含み得る。
【００９３】
[0131]  関係する態様では、方法１４００は、１４００において、別個のセットのうちの第１のセットのメンバーがＵＥとアクセスポイントとの間の接続の品質または帯域幅を示すことをさらに含み得る。方法１４００は、１４４０において、別個のセットのうちの第２のセットのメンバーが、ＵＥによって測定されたＷＬＡＮアクセスポイントからの信号の品質、ＷＬＡＮアクセスポイント上のサービス負荷、またはＷＬＡＮアクセスポイントの能力を示すことをさらに含み得る。
【００９４】
[0132]  本明細書で説明する実施形態の１つまたは複数の態様によれば、図１２に関して上記で説明したように、インターネットワーク化環境におけるＷＬＡＮメトリック報告の管理のためのデバイスおよび装置が提供される。図１５を参照すると、ネットワークエンティティとして、あるいは内部での使用のためのプロセッサまたは同様のデバイス／構成要素として構成され得る、例示的な装置１５００が与えられている。装置１５００は、プロセッサ、ソフトウェア、またはそれらの組合せ（たとえば、ファームウェア）によって実装される機能を表すことができる機能ブロックを含み得る。たとえば、装置１５００は、ユーザ機器（ＵＥ）と通信しているセルラーワイヤレスネットワークの基地局が、ＵＥとＷＬＡＮアクセスポイントとの間の関連付け状態を示す情報を受信するための電気的構成要素、モジュールまたは手段１５１２を含み得る。前記手段は、関連付け情報を受信するためのより詳細なアルゴリズム、たとえば図６に示したコールフローを実行するプロセッサを含み得る。
【００９５】
[0133]  装置１５００は、第１の時間においてＤＬデータまたはＵＬ許可インジケータのうちの少なくとも１つをモバイルエンティティに送信するための電気的構成要素、モジュールまたは手段１５１３を含み得る。前記手段は、より詳細なアルゴリズムを実行する、たとえばサイクル上の第１の間欠受信（ＤＲＸ：discontinuous reception）中にＤＬデータまたはＵＬ許可を送信するプロセッサを含み得る。
【００９６】
[0134]  装置１５００は、関連付け状態に少なくとも部分的に基づいて、アクセスポイントの少なくとも１つのメトリックを報告するようにＵＥに命令するための構成要素、モジュールまたは手段１５１４を含み得る。前記手段は、たとえば図１３〜図１４に関して説明したように、命令を与えることを決定するためのより詳細なアルゴリズムを実行するプロセッサを含み得る。
【００９７】
[0135]  関係する態様では、プロセッサとしてではなく、ネットワークエンティティ（たとえば、ＢＳ、ｅＮＢなど）として構成された装置１５００の場合、装置１５００は、少なくとも１つのプロセッサを有するプロセッサ構成要素１５５０を随意に含み得る。そのような場合、プロセッサ１５５０は、バス１５５２または同様の通信結合を介して構成要素１５１２〜１５１４と動作可能に通信していることがある。プロセッサ１５５０は、電気的構成要素１５１２〜１５１４によって実行される処理または機能の起動とスケジューリングとを実施し得る。
【００９８】
[0136]  さらなる関係する態様では、装置１５００は、トランシーバ構成要素１５５４（無線／ワイヤレスまたはワイヤード）を含み得る。トランシーバ１５５４の代わりにまたはトランシーバ１５５４とともに、スタンドアロン受信機および／またはスタンドアロン送信機が使用され得る。装置１５００は、たとえば、メモリデバイス／構成要素１５５６など、情報を記憶するための構成要素を随意に含み得る。コンピュータ可読媒体またはメモリ構成要素１５５６は、バス１５５２などを介して装置１５００の他の構成要素に動作可能に結合され得る。メモリ構成要素１５５６は、構成要素１５１２〜１５１４、およびそれらの副構成要素、またはプロセッサ１５５０、または本明細書で開示する方法の処理と挙動とを実施するための、コンピュータ可読命令とデータとを記憶するように適応され得る。メモリ構成要素１５５６は、構成要素１５１２〜１５１４に関連する機能を実行するための命令を保持し得る。メモリ１５５６の外部にあるものとして示されているが、構成要素１５１２〜１５１４はメモリ１５５６の内部に存在することができることを理解されたい。図１５中の構成要素は、プロセッサ、電子デバイス、ハードウェアデバイス、電子的副構成要素、論理回路、メモリ、ソフトウェアコード、ファームウェアコードなど、またはそれらの任意の組合せを備え得ることにさらに留意されたい。
【００９９】
[0137]  上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示されている動作がある場合、それらの動作は、同様の番号をもつ対応するカウンターパートのミーンズプラスファンクション構成要素を有し得る。
【０１００】
[0138]  本明細書で使用する「決定すること」という用語は、「決定する」アクションのための指定された結果を生じる多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確定することを含み得、アクションが、決定するアクションのための指定された結果を生じる限り、ここで列挙されないいかなるアクションも除外しない。
【０１０１】
[0139]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むものとする。
【０１０２】
[0140]  上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【０１０３】
[0141]  本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０４】
[0142]  本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【０１０５】
[0143]  本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１０６】
[0144]  説明した機能は、ハードウェア、ソフトウェア、ファームウェアまたはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な非一時的媒体であり得る。限定ではなく例として、そのような非一時的コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、磁気的に符号化されたデータを保持し、ディスク（disc）は、光学的に符号化されたデータを保持する。
【０１０７】
[0145]  したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１０８】
[0146]  ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１０９】
[0147]  さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【０１１０】
[0148]  特許請求の範囲は、上記に示した厳密な構成および構成要素に限定されないことを理解されたい。上記で説明した方法および装置の構成、動作および詳細において、特許請求の範囲から逸脱することなく、様々な改変、変更および変形が行われ得る。
【０１１１】
[0149]  上記は本開示の態様を対象とするが、本開示の他の態様およびさらなる態様は、それらの基本的範囲から逸脱することなく考案され得、それらの範囲は以下の特許請求の範囲によって決定される。
【図１】
2018160906.tif 000008
【図２】
2018160906.tif 000009
【図３】
2018160906.tif 000010
【図４】
2018160906.tif 000011
【図５】
2018160906.tif 000012
【図６】
2018160906.tif 000013
【図７】
2018160906.tif 000014
【図８】
2018160906.tif 000015
【図９】
2018160906.tif 000016
【図１０】
2018160906.tif 000017
【図１１】
2018160906.tif 000018
【図１２】
2018160906.tif 000019
【図１３】
2018160906.tif 000020
【図１４】
2018160906.tif 000021
【図１５】
2018160906.tif 000022
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
セルラーワイヤレスネットワークとワイヤレスローカルエリアネットワーク（ＷＬＡＮ）とを備えるネットワークにおけるワイヤレス通信のための方法であって、前記方法は、ＵＥにおいて、
前記ＵＥとＷＬＡＮアクセスポイントとの間の関連付け状態を決定することと、
前記関連付け状態に少なくとも部分的に基づいて、前記アクセスポイントの少なくとも１つのメトリックを選択することと、
前記少なくとも１つのメトリックの値を決定することと
を備え、
前記少なくとも１つのメトリックの前記値を前記セルラーワイヤレスネットワークの基地局に報告することと、
前記報告することに応答して前記基地局からメッセージを受信することと、前記メッセージが、前記ＷＬＡＮアクセスポイントと前記基地局との間のＵＥトラフィックの割振りまたは再割振りを含む、
前記基地局から前記ＷＬＡＮアクセスポイントに前記トラフィックのいくつかをステアリングすることと
を備えることによって特徴付けられる、方法。
【請求項２】
前記選択することが、メトリックの少なくとも２つの別個のセットのうちの１つから前記少なくとも１つのメトリックを選択することをさらに備える、請求項１に記載の方法。
【請求項３】
前記選択することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを備える、請求項２に記載の方法。
【請求項４】
前記選択することは、前記ＵＥが前記ＷＬＡＮアクセスポイントとのアクティブ接続中であることに基づいて、前記別個のセットのうちの第１のセットから前記少なくとも１つのメトリックを選択することと、前記ＵＥが前記ＷＬＡＮアクセスポイントとの非アクティブ接続中であることに基づいて、前記別個のセットのうちの第２のセットから前記少なくとも１つのメトリックを選択することとを備える、請求項２に記載の方法。
【請求項５】
非アクティブ接続が、前記ＡＰに関連しない、前記ＡＰに関連するがデータを送らない、または前記ＡＰに関連するがしきい値を上回るデータを送らない、のうちの１つを備える、請求項４に記載の方法。
【請求項６】
前記別個のセットのうちの前記第１のセットのメンバーが前記ＵＥと前記アクセスポイントとの間の接続の品質または帯域幅を示す、請求項３に記載の方法。
【請求項７】
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項３に記載の方法。
【請求項８】
セルラーワイヤレスネットワークとワイヤレスローカルエリアネットワーク（ＷＬＡＮ）とを備えるネットワークにおけるワイヤレス通信のためのユーザ機器（ＵＥ）であって、
前記ＵＥとＷＬＡＮアクセスポイントとの間の関連付け状態を決定することと、
前記関連付け状態に少なくとも部分的に基づいて、前記アクセスポイントの少なくとも１つのメトリックを選択することと、
前記少なくとも１つのメトリックの値を決定することと
を行うために構成され、
前記少なくとも１つのメトリックの前記値を前記セルラーワイヤレスネットワークの基地局に報告することと、
前記報告することに応答して前記基地局からメッセージを受信することと、前記メッセージが、前記ＷＬＡＮアクセスポイントと前記基地局との間のＵＥトラフィックの割振りまたは再割振りを含む、
前記基地局から前記ＷＬＡＮアクセスポイントに前記トラフィックのいくつかをステアリングすることと
を行うために構成されることによって特徴付けられる、少なくとも１つのプロセッサと、
前記少なくとも１つのプロセッサに結合されたメモリと
を備える、ワイヤレス通信のためのＵＥ。
【請求項９】
セルラーワイヤレスネットワークとワイヤレスローカルエリアネットワーク（ＷＬＡＮ）とを備えるネットワークにおけるワイヤレス通信のための方法であって、前記方法は、
ユーザ機器（ＵＥ）と通信している前記セルラーワイヤレスネットワークの基地局が、前記ＵＥとＷＬＡＮアクセスポイントとの間の関連付け状態を示す情報を受信することと、
前記関連付け状態に少なくとも部分的に基づいて、前記アクセスポイントの少なくとも１つのメトリックを報告するように前記ＵＥに命令することと
を備え、
前記命令することに応答して、前記ＵＥから前記少なくとも１つのメトリックの値を受信することと、
前記値を前記受信することに応答して前記ＵＥにメッセージを与えることと、前記メッセージが、前記ＷＬＡＮアクセスポイントと前記基地局との間のＵＥトラフィックの割振りまたは再割振りを含み、前記メッセージが、前記基地局から前記ＷＬＡＮアクセスポイントに前記トラフィックのいくつかをステアリングするように前記ＵＥに命令する、
を備えることによって特徴付けられる、方法。
【請求項１０】
前記命令することが、メトリックの少なくとも２つの別個のセットのうちの１つから前記少なくとも１つのメトリックを選択するための命令を備える、請求項９に記載の方法。
【請求項１１】
前記命令することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を備える、請求項１０に記載の方法。
【請求項１２】
前記別個のセットのうちの前記第１のセットのメンバーが前記ＵＥと前記アクセスポイントとの間の接続の品質または帯域幅を示す、請求項１１に記載の方法。
【請求項１３】
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項１２に記載の方法。
【請求項１４】
セルラーワイヤレスネットワークとワイヤレスローカルエリアネットワーク（ＷＬＡＮ）とを備えるネットワークにおけるワイヤレス通信のための基地局であって、
ユーザ機器（ＵＥ）とＷＬＡＮアクセスポイントとの間の関連付け状態を示す情報を、前記ＵＥから受信することと、
前記関連付け状態に少なくとも部分的に基づいて、前記アクセスポイントの少なくとも１つのメトリックを報告するように前記ＵＥに命令することと
を行うために構成され、
前記命令することに応答して、前記ＵＥから前記少なくとも１つのメトリックの値を受信することと、
前記値を前記受信することに応答して前記ＵＥにメッセージを与えることと、前記メッセージが、前記ＷＬＡＮアクセスポイントと前記基地局との間のＵＥトラフィックの割振りまたは再割振りを含み、前記メッセージが、前記基地局から前記ＷＬＡＮアクセスポイントに前記トラフィックのいくつかをステアリングするように前記ＵＥに命令する、
を行うために構成されることによって特徴付けられる、少なくとも１つのプロセッサと、
前記少なくとも１つのプロセッサに結合されたメモリと
を備える、ワイヤレス通信のための基地局。
【請求項１５】
前記プロセッサは、前記ＵＥが前記ＷＬＡＮアクセスポイントとの関連状態にあることに基づいて、メトリックセットの少なくとも２つの別個のセットのうちの１つから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を与えることを備える前記命令することのためにさらに構成され、ここにおいて、前記別個のセットのうちの第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項１４に記載の装置。
【手続補正２】
【補正対象書類名】明細書
【補正対象項目名】０１１１
【補正方法】変更
【補正の内容】
【０１１１】
[0149]  上記は本開示の態様を対象とするが、本開示の他の態様およびさらなる態様は、それらの基本的範囲から逸脱することなく考案され得、それらの範囲は以下の特許請求の範囲によって決定される。
以下に、本願の出願当初の特許請求の範囲に記載された発明を付記する。
［Ｃ１］
セルラーワイヤレスネットワークとワイヤレスローカルエリアネットワーク（ＷＬＡＮ）とを備えるネットワークにおけるワイヤレス通信のための方法であって、前記方法は、  ユーザ機器（ＵＥ）が、前記ＵＥとＷＬＡＮアクセスポイントとの間の関連付け状態を決定することと、
前記関連付け状態に少なくとも部分的に基づいて、前記アクセスポイントの少なくとも１つのメトリックを選択することと、
前記少なくとも１つのメトリックの値を決定することとを備える、方法。
［Ｃ２］
前記関連付け状態、しきい値に対する前記少なくとも１つのメトリックの前記値、前記関連付け状態の変化、または前記セルラーワイヤレスネットワークの基地局から報告命令を受信することのうちの少なくとも１つに基づいて、前記少なくとも１つのメトリックの前記値を前記基地局に報告すべきかどうかを決定することをさらに備える、Ｃ１に記載の方法。
［Ｃ３］
報告すべきかどうかを前記決定することに基づいて、前記少なくとも１つのメトリックの前記値を前記セルラーワイヤレスネットワークの基地局に報告することをさらに備える、Ｃ２に記載の方法。
［Ｃ４］
前記報告することに応答して前記基地局からメッセージを受信することをさらに備え、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ３に記載の方法。
［Ｃ５］
前記選択することが、メトリックの少なくとも２つの別個のセットのうちの１つから前記少なくとも１つのメトリックを選択することをさらに備える、Ｃ１に記載の方法。
［Ｃ６］
前記選択することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントと非関連状態にあることに基づいて、前記別個のセットのうちの第２のセットから前記少なくとも１つのメトリックを選択することとを備える、Ｃ５に記載の方法。
［Ｃ７］
前記選択することは、前記ＵＥが前記ＷＬＡＮアクセスポイントとのアクティブ接続中であることに基づいて、前記別個のセットのうちの第１のセットから前記少なくとも１つのメトリックを選択することと、前記ＵＥが前記ＷＬＡＮアクセスポイントとの非アクティブ接続中であることに基づいて、前記別個のセットのうちの第２のセットから前記少なくとも１つのメトリックを選択することとを備える、Ｃ５に記載の方法。
［Ｃ８］
非アクティブ接続が、前記ＡＰに関連しない、前記ＡＰに関連するがデータを送らない、または前記ＡＰに関連するがしきい値を上回るデータを送らない（すなわち、低すぎるスループット）のうちの１つを備える、Ｃ７に記載の方法。
［Ｃ９］
前記別個のセットのうちの前記第１のセットのメンバーが前記ＵＥと前記アクセスポイントとの間の接続の品質または帯域幅を示す、Ｃ６に記載の方法。
［Ｃ１０］
前記別個のセットのうちの前記第１のセットが、オーバージエア（ＯＴＡ）ビットレート、フレームエラーレート（ＦＥＲ）、ＯＴＡスループット、アップリンクバッファサイズ、アップリンクレイテンシ、メディアアクセス制御（ＭＡＣ）管理情報ベース（ＭＩＢ）カウンタ、８０２．１１報告、またはバックオフカウンタ値のうちのいずれか１つまたは複数を含む、Ｃ９に記載の方法。
［Ｃ１１］
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ６に記載の方法。［Ｃ１２］
前記別個のセットのうちの前記第２のセットが、受信チャネル電力インジケータ（ＲＣＰＩ）、受信信号対雑音インジケータ（ＲＳＮＩ）、基本サービスセット（ＢＳＳ）負荷、前記ＷＬＡＮアクセスポイントに関連する局の数、前記アクセスポイントを使用する有効ユーザの数、またはバッファされたトラフィックをもつ前記アクセスポイントに関連する局の平均数のうちのいずれか１つまたは複数を含む、Ｃ１１に記載の方法。
［Ｃ１３］
前記別個のセットのうちの前記第２のセットが、ビーコン損失レート、ワイドエリアネットワーク（ＷＡＮ）メトリック、物理レイヤレート、利用可能帯域幅、平均バックオフ時間、トラフィック指示マップ間隔、または８０２．１１能力のうちのいずれか１つまたは複数を含む、Ｃ１１に記載の方法。
［Ｃ１４］
ユーザ機器（ＵＥ）とＷＬＡＮアクセスポイントとの間の関連付け状態を決定することと、前記関連付け状態に少なくとも部分的に基づいて、前記アクセスポイントの少なくとも１つのメトリックを選択することと、前記少なくとも１つのメトリックの値を決定することとを行うために構成された少なくとも１つのプロセッサと、
前記少なくとも１つのプロセッサに結合されたメモリとを備える、ワイヤレス通信のための装置。
［Ｃ１５］
前記プロセッサが、前記関連付け状態、しきい値に対する前記少なくとも１つのメトリックの前記値、前記関連付け状態の変化、またはセルラーワイヤレスネットワークの基地局から報告命令を受信することのうちの少なくとも１つに基づいて、前記少なくとも１つのメトリックの前記値を前記基地局に報告すべきかどうかを決定するためにさらに構成された、Ｃ１４に記載の装置。
［Ｃ１６］
前記プロセッサが、前記値を前記基地局に報告することに応答して前記基地局からメッセージを受信するためにさらに構成され、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ１５に記載の装置。
［Ｃ１７］
前記プロセッサが、メトリックの少なくとも２つの別個のセットのうちの１つから前記少なくとも１つのメトリックを前記選択することを実行するためにさらに構成され、ここにおいて、前記別個のセットのうちの第１のセットは、前記ＵＥが、前記ＷＬＡＮアクセスポイントとの関連状態から選択されるＵＥ状態にあるか、または前記ＷＬＡＮアクセスポイントとのアクティブ接続中であることに基づき、ここにおいて、前記プロセッサが、前記ＵＥ状態に基づいて前記別個のセットのうちの第２のセットから前記少なくとも１つのメトリックを選択する、Ｃ１４に記載の装置。
［Ｃ１８］
前記プロセッサが、メトリックの前記少なくとも２つの別個のセットから前記選択することを実行するためにさらに構成され、ここにおいて、前記別個のセットのうちの前記第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ１７に記載の装置。
［Ｃ１９］
セルラーワイヤレスネットワークとワイヤレスローカルエリアネットワーク（ＷＬＡＮ）とを備えるネットワークにおけるワイヤレス通信のための方法であって、前記方法は、  ユーザ機器（ＵＥ）と通信している前記セルラーワイヤレスネットワークの基地局が、前記ＵＥとＷＬＡＮアクセスポイントとの間の関連付け状態を示す情報を受信することと、
前記関連付け状態に少なくとも部分的に基づいて、前記アクセスポイントの少なくとも１つのメトリックを報告するように前記ＵＥに命令することとを備える、方法。
［Ｃ２０］
前記少なくとも１つのメトリックの値を報告するように前記ＵＥに前記命令することが、前記関連付け状態、しきい値に対する前記少なくとも１つのメトリックの値、または前記関連付け状態の変化のうちの少なくとも１つに基づく少なくとも１つの状態を含む、Ｃ１９に記載の方法。
［Ｃ２１］
前記命令することに応答して、前記ＵＥから前記少なくとも１つのメトリックの値を受信することをさらに備える、Ｃ１９に記載の方法。
［Ｃ２２］
前記値を前記受信することに応答して前記ＵＥにメッセージを与えることをさらに備え、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ２１に記載の方法。
［Ｃ２３］
前記命令することが、メトリックの少なくとも２つの別個のセットのうちの１つから前記少なくとも１つのメトリックを選択するための命令を備える、Ｃ１９に記載の方法。［Ｃ２４］
前記命令することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を備える、Ｃ２３に記載の方法。
［Ｃ２５］
前記別個のセットのうちの前記第１のセットのメンバーが前記ＵＥと前記アクセスポイントとの間の接続の品質または帯域幅を示す、Ｃ２４に記載の方法。
［Ｃ２６］
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ２５に記載の方法。
［Ｃ２７］
ユーザ機器（ＵＥ）と通信しているセルラーワイヤレスネットワークの基地局において、前記ＵＥとＷＬＡＮアクセスポイントとの間の関連付け状態を示す情報を受信することと、前記関連付け状態に少なくとも部分的に基づいて、前記アクセスポイントの少なくとも１つのメトリックを報告するように前記ＵＥに命令することとを行うために構成された少なくとも１つのプロセッサと、
前記少なくとも１つのプロセッサに結合されたメモリとを備える、ワイヤレス通信のための装置。
［Ｃ２８］
前記プロセッサが、前記関連付け状態、しきい値に対する前記少なくとも１つのメトリックの値、または前記関連付け状態の変化のうちの少なくとも１つに基づく少なくとも１つの状態を含む、前記少なくとも１つのメトリックの値を報告するように前記ＵＥに前記命令することのためにさらに構成された、Ｃ２７に記載の装置。
［Ｃ２９］
前記プロセッサが、前記命令することに応答して、前記ＵＥから前記少なくとも１つのメトリックの値を受信することと、前記値を前記受信することに応答して前記ＵＥにメッセージを与えることとを行うためにさらに構成され、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ２７に記載の装置。
［Ｃ３０］
前記プロセッサは、前記ＵＥが前記ＷＬＡＮアクセスポイントとの関連状態にあることに基づいて、メトリックセットの少なくとも２つの別個のセットのうちの１つから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を与えることを備える前記命令することのためにさらに構成され、ここにおいて、前記別個のセットの第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ２７に記載の装置。
【外国語明細書】
2018160906000001.pdf